(57)【要約】【課題】余剰はんだのぬれ上がりを良好にして、はんだはみだしによるショート不良が抑制された電力用半導体装置を提供すること。【解決手段】電力用半導体素子と、この電力用半導体素子の主電極の面に対向して配置され、接合材により主電極の面と接合された電極板を備えた電力用半導体装置において、電極板の主電極の面と接合される部分に開口部が設けられ、この開口部周辺には、電極板の表面または裏面と面性状が連続した開口部内面となる突起が形成されるようにした。【選択図】図１
2016134540.tif 000002
【特許請求の範囲】
【請求項１】
電力用半導体素子と、この電力用半導体素子の主電極の面に対向して配置され、接合材により前記電力用半導体素子の主電極の面と接合された電極板を備えた電力用半導体装置において、
前記電極板の前記電力用半導体素子の主電極の面と接合される部分に開口部が設けられ、この開口部周辺には、前記電極板の表面または裏面と面性状が連続した開口部内面となる突起が形成されていることを特徴とする電力用半導体装置。
【請求項２】
前記突起は、少なくとも一部が前記電力用半導体素子とは反対側に突き出していることを特徴とする請求項１に記載の電力用半導体装置。
【請求項３】
前記開口部および前記突起は、絞り加工により形成されたことを特徴とする請求項１または２に記載の電力用半導体装置。
【請求項４】
前記電極板は、表面および裏面に防錆処理が施された銅板であることを特徴とする請求項１から３いずれか１項に記載の電力用半導体装置。
【請求項５】
前記電極板は、異なる熱膨張係数を有する複数の板を積層した構造であることを特徴とする請求項１から３のいずれか１項に記載の電力用半導体装置。
【請求項６】
前記電力用半導体素子はワイドバンドギャップ半導体により形成されていることを特徴とする請求項１から５のいずれか１項に記載の電力用半導体装置。
【請求項７】
前記ワイドバンドギャップ半導体は、炭化珪素、窒化ガリウム系材料またはダイアモンドの半導体であることを特徴とする請求項６に記載の電力用半導体装置。
【発明の詳細な説明】
【技術分野】
【０００１】
本発明は、発電・送電から効率的なエネルギーの利用・再生まであらゆる場面で利用される電力用半導体装置に関する。
【背景技術】
【０００２】
産業機器から家電・情報端末まであらゆる製品にパワーモジュール（電力用半導体装置）が普及しつつあり、家電に搭載されるモジュールについては、小型軽量化とともに多品種に対応できる高い生産性と高い信頼性が求められる。また、動作温度が高く、効率に優れている点で、今後の主流となる可能性の高いＳｉＣ半導体などワイドバンドギャップ半導体に適用できるパッケージ形態であることも同時に求められている。
【０００３】
電力用半導体装置は、高電圧・大電流を扱うために発熱が大きく、効率的に排熱する目的で熱伝導率に優れたセラミック基板を絶縁基板として用いる場合が多い。さらに電力用半導体素子の高密度化に伴い、高い電流密度の回路を形成するために、銅電極板を電力用半導体素子に直接はんだ付けする手法が用いられつつある。銅電極板と電力用半導体素子のギャップが一定であれば、供給したはんだの量を一定にすることで接合部形状は安定するが、実際には部材の公差によってギャップにばらつきが生じる。特にギャップが小さい場合には、余剰はんだがはみ出すことでショートする可能性がある。そこで銅電極板に開口部を形成し、余剰はんだがぬれ上がることではんだ接合部のはみ出しを抑制しようとする方法が検討されてきた。
【０００４】
銅電極板における製造後の輸送/保管中の自然酸化や、電力用半導体素子との接合プロセス以前のアセンブリプロセス中での加熱による酸化が原因のはんだぬれ性の低下を抑制するために、銅電極板の表裏面に防錆材を塗布している場合が多い。銅電極板に開口部を形成すると、防錆材がない切断面が開口部側面に露出するため、酸化によるはんだぬれ性の低下が進行し、余剰はんだのぬれ上がりが阻害される懸念があった。
【０００５】
特許文献１には、電力用半導体素子上に配置したヒートスプレッダ（電極）に開口部を形成し、はんだを供給することで接合する方法が示されている。また、特許文献２には、開口部以外の電極裏面に突起を設けることによりギャップを制御し、開口部からはんだを注入することで接合する方法が示されている。また、特許文献３には、電極の貫通孔の開口部下部に突起を設けて、ギャップを確保することにより安定した接続強度が得られることが記載されている。
【先行技術文献】
【特許文献】
【０００６】
【特許文献１】特開２００４−３０３８６９号公報
【特許文献２】特開２００４−１３４４４５号公報
【特許文献３】特開２００８−１８２０７４号公報（図５）
【発明の概要】
【発明が解決しようとする課題】
【０００７】
上記の特許文献に記載された方法によると、開口部側面のはんだぬれ性が乏しくなる可能性があり、いずれの特許文献にもそれに対する解決策が示されていない。
【０００８】
この発明は、上記のような問題点を解決するためになされたものであり、開口部側面のはんだぬれ性を良好にすることにより余剰はんだのぬれ上がりを良好にして、はんだはみだしによるショート不良が抑制された電力用半導体装置を得ることを目的としている。
【課題を解決するための手段】
【０００９】
本発明は、電力用半導体素子と、この電力用半導体素子の主電極の面に対向して配置され、接合材により主電極の面と接合された電極板を備えた電力用半導体装置において、電極板の主電極の面と接合される部分に開口部が設けられ、この開口部周辺には、電極板の表面または裏面と面性状が連続した開口部内面となる突起が形成されているようにした。
【発明の効果】
【００１０】
この発明によれば、余剰はんだのぬれ上がりが良好になり、はんだはみだしによるショート不良が抑制された電力用半導体装置を提供できる。
【図面の簡単な説明】
【００１１】
【図１】本発明の実施の形態１による電力用半導体装置の概略構成を示す側面断面図である。
【図２】本発明の実施の形態１による電力用半導体装置の製造プロセスを示す第１の図である。
【図３】本発明の実施の形態１による電力用半導体装置の製造プロセスを示す第２の図である。
【図４】本発明の実施の形態１による電力用半導体装置の製造プロセスを示す第３の図である。
【図５】本発明の実施の形態１による電力用半導体装置の製造プロセスを示す第４の図である。
【図６】本発明の実施の形態１による電力用半導体装置の構成をダイレクトポッティング封止樹脂を取り去って示す上面図である。
【図７】本発明の実施の形態１による電力用半導体装置の電極板の開口部の詳細構成の一例を示す拡大側面断面図である。
【図８】従来の電力用半導体装置の電極板の開口部の詳細構成を示す拡大側面断面図である。
【図９】本発明の実施の形態１による電力用半導体装置の電極板の開口部の詳細構成の別の例を示す拡大側面断面図である。
【図１０】本発明の実施の形態１による電力用半導体装置の電極板の開口部の詳細構成のさらに別の例を示す拡大側面断面図である。
【図１１】本発明の実施の形態２による電力用半導体装置の概略構成を示す側面断面図である。
【図１２】本発明の実施の形態２による電力用半導体装置の構成をダイレクトポッティング封止樹脂を取り去って示す上面図である。
【図１３】本発明の実施の形態２による電力用半導体装置の電極板の開口部の詳細構成を示す拡大側面断面図である。
【発明を実施するための形態】
【００１２】
実施の形態１．
図１は本発明の実施の形態１による電力用半導体装置の概略構造を示す側面断面図である。図２〜図５は実施の形態１による電力用半導体装置の製造プロセスを表す概念図である。まず、図２に示すように、セラミック基板１１（AlN製、40mm×25mm×厚さ0.635mm、両面銅導体層１２および１３のパターン厚さ0.4mm）上に、ダイオード２１（15mm×15mm×厚さ0.3mm）と、ＩＧＢＴ（Insulated Gate Bipolar Transistor）２２がはんだダイボンド３１によって搭載される。次に図３に示すように、ケース５（ＰＰＳ樹脂製、48mm×28mm×高さ12mm）が接着剤６（シリコーン製）を用いて固定され、隙間を埋めることで、後述のダイレクトポッティング封止樹脂８の漏れを防止している。ケース５には電極板４０（銅製、厚さ1mm、幅13mm、全長35mm）がインサートモールドされており、ダイオード
２１やＩＧＢＴ２２など電力用半導体素子のソース電極およびドレイン電極など大電流が流れる主電極と接続される。電極板４０の端部にはネジ止め電極部４１が形成されケース５の外周部に固定される。またケース５外周部の別の部分に信号端子４２を形成する。電極板４０には、予め開口部４３（開口径3mm）を、この開口部周辺が突起４４（高さ1mm）となるようにバーリング加工（絞り加工）によって形成しておく。さらに図４に示すように、ケースに形成された信号端子４２と、ＩＧＢＴ２２のゲート電極や温度センサー電極などとを、ボンディングワイヤ7（アルミ製φ0.15ｍｍ）でそれぞれ電気的に接続する。
最後に図５に示すように、ダイレクトポッティング封止樹脂８を60℃に加熱した状態で流し込み、真空脱泡して加熱（100℃、1.5時間→140℃、1.5時間）して硬化させて封止を完了し、電力用半導体装置が完成する。なお、上記の寸法や温度、時間などの数値は一例であり、他の数値であっても良いのは言うまでもない。以降の数値についても同様である。
【００１３】
図６は実施の形態１による電力用半導体装置の構成を示す上面図で、ダイレクトポッティング封止樹脂は取り去って示している。電極板（ケース上部の外部端子部分の幅は７mm）は２個配置され、開口部４３と突起４４が形成された電極板４０は、ねじ止め端子部４１ｓでケース５に固定されている。電極板４０はケース中でセラミック基板１１から２mm程度浮いており、ダイオード２１およびＩＧＢＴ２２などの電力用半導体素子の主電極（ソース電極）と接合材３２により接続される。以降、接合材３２としてはんだを用いた例で説明する。電極板４０の開口部４３は電力用半導体素子の主電極と接合される部分に設けられている。他方の電極板４２０は、ネジ止め端子部４１ｄによりケース５に固定され、セラミック基板１１の回路導体層１２に直接はんだ付けされることによりＩＧＢＴ２２のドレイン電極と接続される。信号端子４２（幅1.5mm）は、ＩＧＢＴ２２の制御電極２２２（ゲート電極、温度センサー電極など）と、ボンディングワイヤ７で接続される。
【００１４】
図７は電極板４０の開口部４３と突起４４の詳細を示す拡大側面断面図である。電極板４０の表面（電力用半導体素子と反対側）および裏面（電力用半導体素子の側）は防錆処理が施され、防錆材（例えばベンゾトリアゾールなど）層４０ａおよび４０ｂが形成されている。一方、突起の切断面４０ｃには酸化膜が形成されている。電極板４０は、バーリング加工（絞り加工）によって予め開口部４３とこの開口部周辺となる突起４４を形成しているため、開口部内面は、電極板の裏面と面性状が連続した、すなわち電極板の裏面と同じく防錆材層４０ｂが形成された面となっている。接合材であるはんだ３２が供給されると、防錆材層４０ｂに対してはんだがぬれ上がり、開口部４３の内面にもはんだが吸い上げられ、電力用半導体素子２１の主電極２１１と電極板４０が接続される。一方、図８は従来の電極板の構造を示しており、開口部４３の側面に切断面４０ｃの酸化膜が存在するため、はんだがぬれ上がることができず、余剰はんだは横方向に広がるため、ガードリング部２１２に乗り上げて絶縁性の低下を招くことが懸念される。
【００１５】
図９は、本発明の実施の形態１による電力用半導体装置の電極板の開口部の詳細構成の別の例を示す拡大側面断面図である。図９に示す例では突起４４を電極板の裏面側（電力用半導体素子側）に突出させている。この場合は、電極板４０の表面に形成された防錆材層４０ａが開口部４３の内面まで連続している。この場合、突起がギャップ確保に機能することが可能で、開口部４３の内面ははんだぬれしやすい防錆材が形成されている面となる。ただし、先端部分の銅電極板断面４０ｃには酸化膜が形成されているため、はんだがぬれにくい場合があり、はんだの供給方法を工夫する必要がある。
【００１６】
図１０は、本発明の実施の形態１による電力用半導体装置の電極板の開口部の詳細構成のさらに別の例を示す拡大側面断面図である。図１０に示す例では、開口部４３の周辺で一部が電力用半導体素子とは反対側に突出した突起４４１、一部が電力用半導体素子の側に突出した突起４４２となるよう突起を設けている。この場合、開口部４３の内面の一部は電極板４０の裏面の防錆材層４０ｂと面性状が連続した面となり、一部は電極板４０の表面の防錆材層４０ａと面性状が連続した面となっている。このように、電極板の表面側と裏面側両方に突出させる突起を設けることによりギャップ確保とはんだぬれ性の改善の両立が可能となる。
【００１７】
電極板４０と電力用半導体素子のはんだ接合については、必要な量の板状はんだを間に挟んでリフローする方法が適用できる。さらにクリームはんだを塗布しておいたり、開口部４３からディスペンサを用いて注入する等の方法も適用可能である。さらに、開口部４３よりも小さな直径の糸はんだを所望の長さに切断して挿入し、リフローすることでもはんだ供給が可能である。
【００１８】
上記ではセラミック基板１１の材料としてＡｌＮを用いたが、アルミナやＳｉＮなどのセラミック材料でも同様の効果が得られる。さらに放熱性の必要があまりない場合には、ガラスエポキシ基板などを用いることも可能である。また、樹脂絶縁シートを用いた金属基板を用いることも可能である。また、上記ではケース５の材料としてＰＰＳを用いたが、より耐熱性の高いＬＣＰ（液晶ポリマー）を用いても同様の効果が得られる。
【００１９】
上記ではダイオード２１とＩＧＢＴ２２が１対の１ｉｎ１でのモジュール構成であったが、２対の２ｉｎ１や６対の６ｉｎ１であっても同様の効果が得られる。また、ボンディングワイヤとして上記ではアルミ製ワイヤを用いたが、銅製ワイヤやアルミ被服銅ワイヤ、または金ワイヤを用いても同様の効果が得られる。また、リボンボンドを用いたり、金属板を超音波接合するバスバーなどを用いても同様の効果が得られる。また、ダイレクトポッティング封止樹脂８については、流し込んで常温硬化させる種類のものでも同様の効果が得られる。
【００２０】
また、電力用半導体素子２１、２２とセラミック基板１１の接続や、電極板４０と電力用半導体素子２１、２２の接続に、接合材としてはんだを用いたが、Ａｇフィラーをエポキシ樹脂に分散させた導電性接着剤や、ナノ粒子を低温焼成させるＡｇナノパウダやＣｕナノパウダなどを接合材として用いても同様の効果が得られる。またケースを用いずに金型を用いてトランスファモールド封止樹脂によって封止するトランスファモールドパッケージにおいても、同様の効果が得られる。
【００２１】
また、上記では、防錆剤があらかじめ塗布された電極板を用いたが、塗布されていない電極板を用いて形状加工し、しかる後に防錆剤を塗布しても同様の効果が得られる。
【００２２】
実施の形態２．
図１１は実施の形態２による電力用半導体装置の構造を示す概念図である。図１１に示すように、セラミック基板１１（ＡｌＮ製、40mm×25mm×厚さ0.635mm、両面銅導体層１２および１３のパターン厚さ0.4mm）上に、ダイオード２１（15mm×15mm×厚さ0.3mm）と、ＩＧＢＴ（Insulated Gate Bipolar Transistor）２２がはんだダイボンド３１によって搭載される。次に、ケース５（ＰＰＳ樹脂製、48mm×28mm×高さ12mm）が接着剤６（シリコーン製）を用いて固定され、隙間を埋めることでダイレクトポッティング封止樹脂８の漏れを防止する。ケース５には電極板４００（ＣＩＣクラッド材：銅／インバー／銅クラッド材製、厚さ1mm、幅13mm、全長35mm）がインサートモールドされており、ダイオード２１やＩＧＢＴ２２などパワー素子のソース電極およびドレイン電極など大電流が流れる主電極と接続される。電極板４００の端部にはネジ止め電極部が形成され、ケース５の外周部に固定される。また、ケース５外周部の別の部分に信号端子４２を形成する。電極板４００には予め開口部４３（開口径3mm）と突起４４（高さ1mm）がバーリング加工（絞り加工）によって形成しておく。突起４４は一部が電極板４００の表面側、一部が裏面側に形成されるように加工されている。さらに、ケースに形成された信号端子４２は、ＩＧＢＴ２２のゲート電極や温度センサー電極などと、ボンディングワイヤ７（アルミ製φ0.15ｍｍ）でそれぞれ電気的に接続されている。最後に、ダイレクトポッティング封止樹脂８を６０℃に加熱した状態で流し込み、真空脱泡して加熱（100℃、1.5時間→140℃、1.5時間）して硬化させて封止を完了し、電力用半導体装置が完成する。
【００２３】
電極板４００に用いたＣＩＣクラッド材は、厚さ0.5mmのインバー４０１を厚さ0.25mmの銅４０２および銅４０３でサンドした構造となっている。銅により膨張係数の小さなインバー（400℃までほぼ0ppm/K）を挟むことで電極板４００トータルの熱膨張係数を小さくし、セラミック基板１１や電力用半導体素子２１、２２の熱膨張係数に近づけることにより、接合部の熱応力を低減することができる。しかし、インバーは、はんだぬれ性が非常に乏しく酸化しやすいという短所を有するため、切断面でインバーが露出するとはんだがぬれ上がれなくなる可能性がある。
【００２４】
図１２は実施の形態２による電力用半導体装置の上面図で、ダイレクトポッティング封止樹脂８を取り去って図示している。電極板（ケース上部の外部端子部分の幅は7mm）は２個配置され、開口部４３と突起４４が形成された電極板４００は、ねじ止め端子部４１０ｓでケース５に固定されている。電極板４００はケース中でセラミック基板１１から２mm程度浮いており、ダイオード２１およびＩＧＢＴ２２の主回路電極（ソース電極）とはんだ３２で接続される。他方の電極板４２０は、ネジ止め端子部４２０ｄによりケース５に固定され、セラミック基板１１の回路導体層１２に直接はんだ付けされることにより電力用半導体素子のドレイン電極と接続される。信号端子４２（幅1.5mm）は、ＩＧＢＴ２
２の制御電極２２２（ゲート電極、温度センサー電極など）と、ワイヤ７で接続される。
【００２５】
図１３は電極板４００の開口部４３と突起４４の詳細を示す拡大側面断面図である。開口部４３の周囲には突起４４が、一部は上向き、一部は下向きに形成されており、開口部内面は、電極板４００の表面または裏面と面性状が連続した面となっている。このため、はんだ３２が供給されると、銅４０２および４０３に対してはんだがぬれ上がり、開口部４３の内面にもはんだが吸い上げられる。
【００２６】
ＣＩＣクラッド材の電極板４００と電力用半導体素子のはんだ接合については、必要な量の板状はんだを間に挟んでリフローする方法が適用できる。さらにクリームはんだを塗布しておいたり、開口部４３からディスペンサを用いて注入する等の方法も適用可能である。さらに、開口部４３よりも小さな直径の糸はんだを所望の長さに切断して挿入し、リフローすることでもはんだ供給が可能である。
【００２７】
突起４４を電極板４００の表面側（電力用半導体素子と反対側）と裏面側（電力用半導体素子の側）両方に突き出した突起とすることで、ＣＩＣクラッド材の電極板４００の両面の銅４０２、４０３に対して確実にはんだ接続をすることが可能となり、電気抵抗や熱抵抗の小さな銅を最大限に活用することができる。勿論、図７や図９と同様、突起を電極板４００の表面側または裏面側一方に突き出した突起としてもよいのは言うまでもない。なお、インバーと銅の積層は銅、インバー、銅、インバー、銅、のようにさらに多数積層する構造であってもよい。また、上記では、電極板４００として、インバーを銅で挟んだ構造のものを示したが、他の材料、例えばステンレスを銅で挟んだ構造や、インバーをアルミで挟んだ構造であっても同様である。すなわち、電極板として、異なる膨張係数を有する複数の板を積層した構造とすることにより電極板４００トータルの熱膨張係数を小さくし、セラミック基板１１や電力用半導体素子２１、２２の熱膨張係数に近づけることができる。
【００２８】
上記ではセラミック基板１１の材料として、ＡｌＮを用いたが、アルミナやＳｉＮなどのセラミック材料でも同様の効果が得られる。さらに放熱性の必要があまりない場合には、ガラスエポキシ基板などを用いることも可能である。また、樹脂絶縁シートを用いた金属基板を用いることも可能である。また、上記ではケース５の材料としてＰＰＳを用いたが、より耐熱性の高いＬＣＰ（液晶ポリマー）を用いても同様の効果が得られる。
【００２９】
上記ではダイオード２１とＩＧＢＴ２２が１対の１ｉｎ１でのモジュール構成であったが、２対の２ｉｎ１や６対の６ｉｎ１であっても同様の効果が得られる。また、ボンディングワイヤとして上記ではアルミ製ワイヤを用いたが、銅製ワイヤやアルミ被服銅ワイヤ、または金ワイヤを用いても同様の効果が得られる。また、リボンボンドを用いたり、金属板を超音波接合するバスバーなどを用いても同様の効果が得られる。また、ダイレクトポッティング封止樹脂８については、流し込んで常温硬化させる種類のものでも同様の効果が得られる。
【００３０】
また、電力用半導体素子２１、２２とセラミック基板１１の接続や、電極板と電力用半導体素子を接続する接合材としてはんだを用いたが、Ａｇフィラーをエポキシ樹脂に分散させた導電性接着剤や、ナノ粒子を低温焼成させるＡｇナノパウダやＣｕナノパウダなどを接合材として用いても同様の効果が得られる。またケースを用いずに金型を用いてトランスファモールド封止樹脂によって封止するトランスファモールドパッケージにおいても、同様の効果が得られる。
【００３１】
なお、本発明は、電力用半導体素子として、例えば高温動作も可能なワイドバンドギャップ半導体材料である炭化珪素（ＳｉＣ）等を用いた電力用半導体素子を実装する電力用半導体装置に適用すると、高い電流密度の回路を形成することができるため特に効果がある。ワイドバンドギャップ半導体材料としては、他に、窒化ガリウム系材料、ダイアモンドなどがある。
【符号の説明】
【００３２】
２１  ダイオード（電力用半導体素子）、２２  ＩＧＢＴ（電力用半導体素子）、３２  はんだ接合部（接合材）、４０、４００  電極板、４０ａ、４０ｂ  防錆材層、４３  開口部、４４、４４１、４４２  突起、２１１  電力用半導体素子の主電極
【図１】
2016134540.tif 000003
【図２】
2016134540.tif 000004
【図３】
2016134540.tif 000005
【図４】
2016134540.tif 000006
【図５】
2016134540.tif 000007
【図６】
2016134540.tif 000008
【図７】
2016134540.tif 000009
【図８】
2016134540.tif 000010
【図９】
2016134540.tif 000011
【図１０】
2016134540.tif 000012
【図１１】
2016134540.tif 000013
【図１２】
2016134540.tif 000014
【図１３】
2016134540.tif 000015